(57)【要約】【課題】店探し情報誌を置いた場所と、利用された店との関連について分析し、情報誌の置き場所を効率良く割り出すための店探し情報誌の使用方法を提供する。【解決手段】店で扱われる商品情報や店の所在地情報などが店毎に区画されて単位紙面が構成され、前記単位紙面毎にサービス用の割引券が印刷された店探し情報誌の使用方法であって、前記店探し情報誌の前記単位紙面の前記割引券に少なくとも、前記店探し情報誌の冊子単位で異なる割引券固有番号と、前記店探し情報誌が提供される場所の場所コードまたは店コードが印刷されるステップと、前記割引券が使用された店で回収された前記割引券の前記割引券固有番号と、前記場所コードまたは前記店コードが店端末に接続された光学読取手段によって、光学的に読取られるステップと、前記光学的に読取られた光学読取情報をネット経由で管理会社のサーバーに送信して情報解析するようにした。【選択図】      図５
2015043218.tif 000002
【特許請求の範囲】
【請求項１】
店で扱われる商品情報や店の所在地情報などが店毎に区画されて単位紙面が構成され、複数の前記単位紙面が付け合わせで編集され印刷されて綴じ合わされ、前記単位紙面毎にサービス用の割引券が印刷された店探し情報誌の使用方法であって、前記店探し情報誌の前記単位紙面の前記割引券に少なくとも、前記店探し情報誌の冊子単位で異なる割引券固有番号と、前記店探し情報誌が提供される場所の場所コードまたは店コードが印刷されるステップと、前記割引券が使用された店で回収された前記割引券の前記割引券固有番号と、前記場所コードまたは前記店コードが店端末に接続された光学読取手段によって、光学的に読取られるステップと、前記光学的に読取られた光学読取情報をネット経由で管理会社のサーバーに送信して情報解析するようにしたことを特徴とする店探し情報誌の使用方法。
【発明の詳細な説明】
【技術分野】
【０００１】
本発明は、店探し情報誌を置いた場所と、利用された店との関連について調べるための店探し情報誌の使用方法に関する。
【背景技術】
【０００２】
飲食店や、商店などが客を呼び寄せるために、人が集まる駅周辺などで店の名前や所在地、電話番号等を印刷したティッシュペーパーやチラシを配布している。
また、割引券を印刷したチラシなどを電車の駅の構内や、地下商店街などに置いて顧客の獲得を行なっている。
一方、出店を計画している場所の周辺に調査員を配置し、平日、休日、時間帯別に人の流れを、手動カウンターを使って調べている。また、アンケート用紙を配布して用紙に所定事項を記入してもらい、アンケート用紙を回収して人の動向の調査を行なっている。
【０００３】
しかし、このような方法では、多くの調査員と時間を必要とし、手動カウンターを用いて計測する方法などの場合は数え間違いをすることが多い。そこで、多くの調査員と時間を必要としないで人の流れを調べることができ、しかも調査結果を迅速に提供することを可能ならしめる調査用配布物及び該調査用配布物を用いた調査方法及び調査システムが提供されている（例えば、特許文献１参照）。
【先行技術文献】
【特許文献】
【０００４】
【特許文献１】特開２００２−９２２５５号公報
【発明の概要】
【発明が解決しようとする課題】
【０００５】
しかし、特許文献１の方法では、人の動向を調査するために、対象別にＩＣタグを使い分け、さらに、所定の場所に読取装置を配置する必要がある。また、ＩＣタグは非接触で読み取られるがＩＣタグが読取範囲を超えて離れた場合には読み取ることができない。また、読み取るための電波がさえぎられた場合には対象とするＩＣタグを読み取ることができない。
本発明は、店探し情報誌を置いた場所と、利用された店との関連について分析し、情報誌の置き場所を効率良く割り出すための店探し情報誌の使用方法を提供するものである。
【課題を解決するための手段】
【０００６】
前記課題の目的を達成するために本発明の第一の態様の店探し情報誌の使用方法は、店で扱われる商品情報や店の所在地情報などが店毎に区画されて単位紙面が構成され、複数の前記単位紙面が付け合わせで編集され印刷されて綴じ合わされ、前記単位紙面毎にサービス用の割引券が印刷された店探し情報誌の使用方法であって、前記店探し情報誌の前記単位紙面の前記割引券に少なくとも、前記店探し情報誌の冊子単位で異なる割引券固有番号と、前記店探し情報誌が提供される場所の場所コードまたは店コードが印刷されるステップと、前記割引券が使用された店で回収された前記割引券の前記割引券固有番号と、前記場所コードまたは前記店コードが店端末に接続された光学読取手段によって、光学的に読取られるステップと、前記光学的に読取られた光学読取情報をネット経由で管理会社のサーバーに送信して情報解析するようにしたことを特徴とするものである。
【発明の効果】
【０００７】
本発明の店探し情報誌の使用方法によって、
１）店で扱われる商品情報や店の所在地情報などが店毎に区画されて単位紙面が構成され、複数の単位紙面が付け合せで編集され印刷されて綴じ合わされているために、店の内容物が比較し易く、さらに、割引券固有番号と店コードから「客の好む店の傾向」まで把握することができる。また、客は、割引券によって、割安で店を利用することができる。
２）また、それぞれの割引券には、少なくとも店探し情報誌の冊子単位で異なる割引券固有番号と店探し情報誌が提供される場所の場所コードが光学読み取り可能に印刷されているために、利用された店が使用された同一の割引券を間違って複数回入力しても、集計の際に割引券固有番号によってチェックされ、誤って集計されることはない。
３）また、店探し情報誌で紹介された店の単位紙面に対して、場所コードが同一コードで印刷されていることによって、店と店探し情報誌が提供された場所との関連を明確に分析でき、利用客は店が近いから来店するのか、どのような業種の者が多く来店するのか、また、店探し情報誌がどのような場所に置かれたことによって多く来店するのか、などが傾向として把握でき、効果的に店探し情報誌を配布することができる。
【図面の簡単な説明】
【０００８】
【図１】店探し情報誌の一実施形態について説明するための図である。
【図２】店探し情報誌の単位紙面に印刷された割引券の一例について説明するため図である。
【図３】割引券の所定の場所に、光学手段で読み取れるように印刷された光学読取情報の一例について説明するため図である。
【図４】店探し情報誌が提供される場所（以下、配布場所又は置き場所ともいう）の一例について説明するため図である。
【図５】本発明の店探し情報誌の使用方法の一例について説明するため図である。
【発明を実施するための形態】
【０００９】
以下、図面を参照して本発明の店探し情報誌の使用方法について説明する。
以下の説明では、割引券をクーポン券ともいう。クーポンとは、本来、広告などの一部に印刷され、引きちぎることができる紙片部、利札、優待券、景品券などである。近年では、割引率などが数字で印刷され、クーポン券を提示することによって割引サービスが受けられるようになっている。
【００１０】
図１を参照して、本発明に用いる店探し情報誌の一実施形態について説明する。
店探し情報誌１の多くは、週刊誌のように二つ折りされた紙片が複数枚中央で綴じ合わされ、各紙片の両面に広告のための店情報がフルカラーで印刷されている。
紙片には店で扱われる商品の内容や、簡易な表現による店の所在地地図などが店毎に区画されて印刷されている。一つの店舗の広告面積は支払われる広告料によっても異なるが概ね同じ面積の単位紙面１１で構成され、複数付け合せで編集され印刷されて綴じ合わされている。
【００１１】
本発明に用いる店探し情報誌１１は一箇所に配布される（置かれる）ものではなく、店の周囲の複数の場所、および、離れた場所の専用広告店などに置かれる。したがって、来店する客は必ずしも近隣から来店した客とは限らない。また、同じ店の、同じデザインの割引券１２であってもそれぞれが「異なるもの」であると「識別される」ための「手段」が印刷されていなければならない。
また、同じ場所に置かれた冊子（店探し情報誌）でも、使用者が異なった時に、割引券１２を使用した者が異なった者であることが明確になる必要がある。
そのために、それぞれの単位紙面１１には、店探し情報誌の冊子単位で異なる割引券固有番号が印刷される。
例えば、同一の配布場所にｎ冊の冊子が配布されていれば、それぞれの単位紙面には、冊子単位でｎ種の異なる番号が印刷されている。
【００１２】
それぞれの割引券には、前述のように、店探し情報誌が提供される場所の場所コードと割引券固有番号が印刷される。
しかも、前記場所コードは、店探し情報誌に綴じ合わされた全ての単位紙面１１に対して同一コードで印刷される。
集計業者（以下、管理会社ともいう）は利用者が使用した割引券１２から、少なくとも、前述の割引券固有番号、場所コードを回収する。また、これら情報の集計に時間がかからないように、これらの光学読取情報は、光学読み取り可能な文字又は記号で印刷される。
【００１３】
前述の割引券固有番号が印刷される場合は、場所コードを割引券固有番号によって割り出すことも可能であるが、場所コードを独立して印刷したほうが、少ない労力と時間で処理することができる。
また、割引券固有番号は「冊子単位」で付されるために、一冊の冊子では各単位紙面で共通の番号が割り当てられる。
【００１４】
また、本実施形態のように、割引券には店コードが印刷される。店コードは、店の端末（レジスター）が光学読取手段を有している場合は、必ずしも必要としない。なぜなら、割引券固有番号、場所コードを回収する際に自動的に紐付けされ、回収できるからである。しかし、店の端末が故障、または、店の端末（レジスター）が光学読取手段を有していない場合は、管理会社が店で使用された割引券を回収して集計する必要があり、割引券には店コードが印刷されていると都合が良い。
【００１５】
図２を参照して、店探し情報誌の単位紙面に印刷された割引券の一例について説明する。
割引券１２には、クーポン券であることの表示「ｃｏｕｐｏｎ」と、店の割引サービス対象の一部である「ワイン」が印刷され、右隅に光学読み取り可能な「二次元コード」で前述の割引券固有番号、場所コード、店コード、その他情報が印刷されている。
前記場所コード、割引券固有番号、店コードなどが目視で判別可能に印刷される場合もある。二次元コードの代わりに、バーコードのように直線的に読み取られる手段で印刷されていてもよい。また、ＯＣＲのように数字で置き換えて表示されていてもよい。
この部分を二次元コードで印刷する場合は、前述の割引券固有番号、場所コード、店コード以外に多くの情報が盛り込めるため、例えば、管理会社コード、店探し情報誌冊子を作製した日付、市町村などの地区コード、郵便番号、割引率、などを一緒に印刷することもできる。
【００１６】
図３を参照して、割引券の所定の場所に光学読み取り可能に印刷された情報の一例について説明する。
光学読み取り可能な手段（例えば、二次元コード）で印刷されている内容として、管理会社コード「ＸＹＺ１２３４５」、割引券固有番号「Ａ１２３４５６７８９」、場所コード「Ｇ７８９０１２３」、店コード「Ｐ０１２３４５」、店探し情報誌冊子の発行年月「１１０１１０」、その他情報が印刷されている。アルファベットが使用できない場合は数字だけでもよい。これらの情報は、店探し情報誌の図柄等が印刷された後、インキジェットプリンタなどでまとめて印刷され、裁断されて冊子化される。
同一内容の冊子数が少ない場合は、冊子代がコスト高になるために店探し情報誌の図柄と光学読取領域の内容をプリンタで一括処理することもできる。
【００１７】
図４を参照して、店探し情報誌の配布場所（置き場所）の一例について説明する。
店探し情報誌が置かれる場所は、管理会社が保有する「○○駅構内」や「○×駅構内」の広告媒体専用ラック、了解を取り付けた「○○ビル１階」や「○×ビル１階」、「○○地下通路」などである。
それぞれに場所コードが設定され、クーポン券には、「Ｓ７８９０１２３（○○駅構内）」、「Ｓ７８９０１２９（○×駅構内）」、「Ｐ０１２３４５（○○ビル１階）」、「Ｑ０１２３４５（○×ビル１階）」などと印刷される。
【００１８】
図５を参照して、本発明の店探し情報誌の使用方法の一例について説明する。
まず、店探し情報誌冊子を作成する。
そのための準備として、冊子に掲載する店を募集し、単位紙面に印刷する印刷情報を収集し、応募された店に店コードを割り当てる（ステップ１：以下Ｓ１）。
次に、店探し情報誌冊子の配布場所を、管理会社の契約場所の中から選択し、場所コードを設定する（Ｓ２）。
記載しないが、配布場所が決まったら、配布場所ごとに掲載する店を決める。
【００１９】
上記Ｓ１、Ｓ２、掲載する店が決まったら、単位紙面を作成し、光学読取情報部以外の部分を印刷する。
印刷が完了したら割引券に場所コード、割引券固有番号、店コード等を光学読み取り可能な状態で印刷する（Ｓ３）。
なお、店探し情報誌の表紙などに、関係者が目視で判読できる手段で、配布場所を印刷しておく。
これで準備段階が終了する。
【００２０】
予め設定された配布場所に、所定の冊数の店探し情報誌を配布する（Ｓ４）。
【００２１】
利用者は、配布場所から店探し情報誌冊子を入手し、単位紙面に印刷された商品、価格などから総合判断して目的とする店を選択する。利用する店を探し、店の商品を購入する。または、飲食する。
精算する際に割引券を提示する（Ｓ５）。
【００２２】
店では、清算の都度、レジに接続された光学読取手段（または、光学読取装置）によって、割引券に印刷された光学読取情報を読み取る（Ｓ６）。
光学読取情報の読み取り作業は、上述のように、利用者の清算の都度行なうか、店を閉めてから一括して行なう。
店のレジが、ネットで接続されている場合は、読み取った光学読取情報を管理会社のサーバーに送信する。光学読取情報の中に店コードが含まれているが、光学読取情報を送信する際に、店のレジから店コードが貼付されて送信される場合もある。
【００２３】
管理会社は、契約している店を訪問し、使用された割引券を回収する。または、郵送で割引券を店から回収する。
まず、割引券の光学読取情報を読み取って、割引券固有番号別に場所コード、店コードを集計する。次に、ネット経由で送信された情報と突合せを行なう。その際に、同一の割引券固有番号があれば、１個を残して他は削除する。
【００２４】
店コード別、場所コード別集計を行い、店に対して来店客数の多かった配布場所の一覧表を作成し、報告する。
【産業上の利用可能性】
【００２５】
店探し情報誌等の効果的置き場所を解析する手段、および、客の動向を知る手段として利用できる。
【符号の説明】
【００２６】
１      店探し情報誌
１１    単位紙面
１２    割引券（クーポン券）
１２２  図柄印刷部（光学読取情報部以外の印刷部）
１２３  光学読取情報部
【図１】
2015043218.tif 000003
【図２】
2015043218.tif 000004
【図３】
2015043218.tif 000005
【図４】
2015043218.tif 000006
【図５】
2015043218.tif 000007